(57)【要約】ユーザがパーソナルケア行為を実行することに集中するのを支援することにおいて使用されるシステム（１００）及び方法が提供される。システム（１００）は処理ユニット（１０２）を有する。処理ユニットは、パーソナルケア行為中にユーザに関連するデータを取得し、取得されたデータを処理して、パーソナルケア行為を行う際のユーザにとっての気を散らせるイベントを示す少なくとも１つの特性を検出し、気を散らせるイベントを示す検出された少なくとも１つの特性に関連する１つ以上のアクションを開始して、ユーザがパーソナルケア行為に集中することを支援するよう構成される。
2019533853.tif 000002
【特許請求の範囲】
【請求項１】
ユーザが歯の手入れ行為、肌の手入れ行為、又は身づくろい行為のようなパーソナルケア行為を実行することに集中するのを支援することにおいて使用されるシステムであって、
前記ユーザに関連するデータを取得するよう配置される少なくとも１つのセンサと、
処理ユニットと
を有し、
前記処理ユニットは、
前記パーソナルケア行為中に前記ユーザに関連するデータを取得し、
前記パーソナルケア行為を行う際の前記ユーザにとっての気を散らせるイベントを示す少なくとも１つの特性を検出するよう前記取得されたデータを処理し、斯様な気を散らせるイベントは、前記ユーザに、行っている前記パーソナルケア行為に集中しなくさせる可能性があり、且つ／あるいは、行っている前記パーソナルケア行為の品質及び効果に悪影響を与える可能性があり、
前記ユーザが前記パーソナルケア行為に集中することを支援するよう、前記気を散らせるイベントを示す前記検出された少なくとも１つの特性に関連する１つ以上のアクションを開始する
よう構成される、
システム。
【請求項２】
当該システムは、気を散らせるイベントを示す特性と、前記ユーザが前記パーソナルケア行為に集中することを支援するための関連するアクションとを記憶するメモリユニットを更に有する、
請求項１に記載のシステム。
【請求項３】
前記処理ユニットは、前記パーソナルケア行為を行う際の前記ユーザにとっての気を散らせるイベントを示す少なくとも１つの特性を検出するよう、前記取得されたデータを、前記気を散らせるイベントを示す記憶された特性と比較することによって、前記取得されたデータを処理するよう構成される、
請求項２に記載のシステム。
【請求項４】
前記気を散らせるイベントを示す検出された少なくとも１つの特性は、前記ユーザが前記パーソナルケア行為に集中することを支援するための複数のアクションに関連し、
前記処理ユニットは、前記ユーザが前記パーソナルケア行為に集中することを支援するために開始すべき１つ以上のアクションを、前記気を散らせるイベントを示す検出された少なくとも１つの特性に関連する前記複数のアクションの中から選択するよう構成される、
請求項１乃至３のうちいずれか一項に記載のシステム。
【請求項５】
前記１つ以上のアクションは、前記複数のアクションに割り当てられている順位付け、前記１つ以上のアクションを開始する時点での前記複数のアクションの利用可能性、及び前記ユーザの状態のうちのいずれか１つ以上に基づき選択される、
請求項４に記載のシステム。
【請求項６】
前記少なくとも１つのセンサは、関連する可能性があるデータの選択を識別するよう、取得されたデータを前処理するよう構成される、
請求項１に記載のシステム。
【請求項７】
前記少なくとも１つのセンサは、
視覚センサ、
音声センサ、
動きセンサ、
存在センサ、
近接センサ、及び
デバイスステータスセンサ
のうちのいずれか１つ以上を有する、
請求項１に記載のシステム。
【請求項８】
前記気を散らせるイベントを示す少なくとも１つの特性は、前記パーソナルケア行為を行う際の前記ユーザにとっての前記気を散らせるイベントの予想される発生を示す特性を有する、
請求項１乃至７のうちいずれか一項に記載のシステム。
【請求項９】
前記処理ユニットは、前記気を散らせるイベントが前記ユーザの気を散らす可能性を低めるよう、前記気を散らせるイベントを示す検出された少なくとも１つの特性に関連する１つ以上の対応策を開始するよう構成される、
請求項８に記載のシステム。
【請求項１０】
前記処理ユニットは、
前記パーソナルケア行為において使用される１つ以上のデバイスへ視覚的、聴覚的、触覚的及び／又は機能的刺激をレンダリングすること、
前記気を散らせるイベントの前記予想される発生に関与する１つ以上のデバイスへのアクセスを制御すること、並びに
前記気を散らせるイベントの前記予想される発生の起点に予防策を置くこと
のうちのいずれか１つ以上によって１つ以上の対応策を開始するよう構成される、
請求項９に記載のシステム。
【請求項１１】
前記気を散らせるイベントを示す少なくとも１つの特性は、前記パーソナルケア行為を行う際に気を散らせるイベントが前記ユーザに起こっていることを示す特性を有する、
請求項１乃至１０のうちいずれか一項に記載のシステム。
【請求項１２】
前記処理ユニットは、前記パーソナルケア行為に集中するように前記ユーザに促すよう、前記気を散らせるイベントを示す前記検出された少なくとも１つの特性に関連する１つ以上の通知を開始するよう構成される、
請求項１１に記載のシステム。
【請求項１３】
前記処理ユニットは、
前記ユーザへの視覚的通知、
前記ユーザへの聴覚的通知、
前記ユーザへの触覚的通知、及び
前記パーソナルケア行為において使用される１つ以上のデバイスへの機能的通知
のうちのいずれか１つ以上をレンダリングすることによって１つ以上の通知を開始するよう構成される、
請求項１２に記載のシステム。
【請求項１４】
ユーザが歯の手入れ行為、肌の手入れ行為、又は身づくろい行為のようなパーソナルケア行為を実行することに集中するのを支援することにおいて使用される方法であって、処理ユニットによって実行される前記方法において、
前記パーソナルケア行為中に前記ユーザに関連するデータを取得することと、
前記パーソナルケア行為を行う際の前記ユーザにとっての気を散らせるイベントを示す少なくとも１つの特性を検出するよう前記取得されたデータを処理することであり、斯様な気を散らせるイベントは、前記ユーザに、行っている前記パーソナルケア行為に集中しなくさせる可能性があり、且つ／あるいは、行っている前記パーソナルケア行為の品質及び効果に悪影響を与える可能性がある、前記処理することと、
前記ユーザが前記パーソナルケア行為に集中することを支援するよう、前記気を散らせるイベントを示す前記検出された少なくとも１つの特性に関連する１つ以上のアクションを開始することと
を有する方法。
【請求項１５】
適切なコンピュータ又はプロセッサによる実行時に、該コンピュータ又はプロセッサに請求項１４に記載の方法を実行させるように構成されるコンピュータ可読コードが記録されているコンピュータ可読媒体を有するコンピュータプログラム製品。
【発明の詳細な説明】
【技術分野】
【０００１】
本発明は、ユーザがパーソナルケア行為を有効に実行するのを助けることに関係があり、特に、ユーザがパーソナルケア行為を実行することに集中するのを支援することにおいて使用されるシステム及び方法に関係がある。
【背景技術】
【０００２】
パーソナルケア行為を行うユーザは、しばしば気を取られることがある。これは、ユーザに、彼らが行っているパーソナルケア行為に集中しなくさせる（又は集中力を失わせる）ことがあり得る。これは、歯の手入れ行為（例えば、歯石取り、歯磨き、又はデンタルフロスでの掃除）、肌の手入れ行為（例えば、整肌又はクレンジング）、身づくろい行為（例えば、身体のいずれかの部位における毛のカット若しくはシェービングのような除毛、又は毛髪のブラシがけ若しくは矯正）、又はあらゆる他のパーソナルケア行為を含む如何なるパーソナルケア行為の間にも起こり得る。
【０００３】
しばしば、パーソナルケア行為は、特定の結果を達成するためにそれが実行されているときに、ユーザに、パーソナルケア行為に集中するよう求める。例えば、歯磨きは、歯科衛生を保つための必要な行為であり、ユーザは、通常、歯磨き中に２分間を費やすよう推奨される。ユーザは、最良の結果が達成されるために、この歯磨き中の行為に完全に集中するよう求められる。現在の電動歯ブラシは、２分の期間が完了した時を示すタイマーをしばしば備えている。この２分の期間中に、ユーザは、歯ブラシの行為にのみ集中するよう勧められ、そして、指定時刻に作動する指示が、次の区分又は象限を洗浄することに切り替えるようユーザに合図するために与えられ得る。
【０００４】
いくつかのパーソナルケアデバイスは、パーソナルケアルーチンに忠実であるようユーザに促すこと、又はユーザがタスクを適切に実行するのを支援することが可能なシステムにおいても提供される。例えば、米国特許第８７５８０２２（Ｂ２）号（特許文献１）には、教育的衛生デバイス（歯ブラシを含むことができる。）が、歯磨き技術に関してユーザに指示すること、円運動において歯ブラシ先端を動かすようユーザに指示すること、又は同様のことを含むことができる指示を動作中にユーザに与えるよう構成される教育的衛生方法が開示されている。
【０００５】
しかし、時間周期の指示を提供することは、パーソナルケア行為がどれくらいの間続くべきかに関してユーザにフィードバックを与え、パーソナルケアルーチンに忠実であるようユーザに促すことは、ユーザがタスクを適切に実行するのを支援するが、一方で、パーソナルケア行為中に他の原因によってユーザが気を散らされることを防ぐものは何もない。よって、気を散らすものに起因してユーザが集中しなくなるリスクが依然としてある。これは、パーソナルケア行為の品質及び効果に悪影響を及ぼす可能性がある。
【０００６】
また、パーソナルケア行為の実行中にユーザの集中に作用する可能性がある多くの形態の気を散らすものが存在する。これは、ユーザが気を散らせることを回避するのを困難にする。例えば、ユーザは、新しい場所へ歩く可能性があり、ユーザは、パーソナルケア行為と無関係の物、デバイス、又はコンテンツを積極的に見たり且つ／あるいはそれらと接触したりする可能性があり、音響、画像、又は振動がモバイルデバイスで作動される可能性があり、関心のあるコンテンツがラジオ又はテレビで流される可能性があり、ユーザは他者によって（例えば、別の部屋から）呼ばれる可能性があり、その他もある。
【０００７】
従って、ユーザがパーソナルケア行為を実行することに集中するのを支援するための改善されたシステム及び方法が必要である。
【先行技術文献】
【特許文献】
【０００８】
【特許文献１】米国特許第８７５８０２２（Ｂ２）号
【発明の概要】
【０００９】
上述されたように、既存のシステムに伴う制限は、ユーザの集中を失わせる可能性があるパーソナルケア行為中の他の原因によってユーザが気を散らされるリスクがあり、これがパーソナルケア行為の品質及び効率に悪影響を及ぼし得ることである。
【００１０】
従って、本発明の第１の態様に従って、ユーザがパーソナルケア行為を実行することに集中するのを支援することにおいて使用されるシステムであって、処理ユニットを有する前記システムが提供される。前記処理ユニットは、前記パーソナルケア行為中に前記ユーザに関連するデータを取得し、該取得されたデータを処理して、前記パーソナルケア行為を行う際の前記ユーザにとっての気を散らせるイベントを示す少なくとも１つの特性を検出し、前記気を散らせるイベントを示す前記検出された少なくとも１つの特性に関連する１つ以上のアクションを開始して、前記ユーザが前記パーソナルケア行為に集中することを支援するよう構成される。
【００１１】
いくつかの実施形態において、当該システムは、気を散らせるイベントを示す特性と、前記ユーザが前記パーソナルケア行為に集中することを支援するための関連するアクションとを記憶するメモリユニット更に有してよい。
【００１２】
いくつかの実施形態において、前記処理ユニットは、前記パーソナルケア行為を行う際の前記ユーザにとっての気を散らせるイベントを示す少なくとも１つの特性を検出するよう、前記取得されたデータを、前記気を散らせるイベントを示す記憶された特性と比較することによって、前記取得されたデータを処理するよう構成されてよい。
【００１３】
いくつかの実施形態において、前記気を散らせるイベントを示す検出された少なくとも１つの特性は、前記ユーザが前記パーソナルケア行為に集中することを支援するための複数のアクションに関連してよく、前記処理ユニットは、前記ユーザが前記パーソナルケア行為に集中することを支援するために開始すべき１つ以上のアクションを、前記気を散らせるイベントを示す検出された少なくとも１つの特性に関連する前記複数のアクションの中から選択するよう構成されてよい。
【００１４】
いくつかの実施形態において、前記１つ以上のアクションは、前記複数のアクションに割り当てられている順位付け、前記１つ以上のアクションを開始する時点での前記複数のアクションの利用可能性、及び前記ユーザの状態のうちのいずれか１つ以上に基づき選択されてよい。
【００１５】
いくつかの実施形態において、前記ユーザに関連するデータは、少なくとも１つのセンサから取得されてよい。
【００１６】
いくつかの実施形態において、前記少なくとも１つのセンサは、視覚センサ、音声センサ、動きセンサ、存在センサ、近接センサ、及びデバイスステータスセンサのうちのいずれか１つ以上を有してよい。
【００１７】
いくつかの実施形態において、前記気を散らせるイベントを示す少なくとも１つの特性は、前記パーソナルケア行為を行う際の前記ユーザにとっての前記気を散らせるイベントの予想される発生を示す特性を有してよい。
【００１８】
いくつかの実施形態において、前記処理ユニットは、前記気を散らせるイベントが前記ユーザの気を散らす可能性を低めるよう、前記気を散らせるイベントを示す検出された少なくとも１つの特性に関連する１つ以上の対応策を開始するよう構成されてよい。
【００１９】
いくつかの実施形態において、前記処理ユニットは、前記パーソナルケア行為において使用される１つ以上のデバイスへ視覚的、聴覚的、触覚的及び／又は機能的刺激をレンダリングすること、前記気を散らせるイベントの前記予想される発生に関与する１つ以上のデバイスへのアクセスを制御すること、並びに前記気を散らせるイベントの前記予想される発生の起点に予防策を置くことのうちのいずれか１つ以上によって１つ以上の対応策を開始するよう構成されてよい。
【００２０】
いくつかの実施形態において、前記気を散らせるイベントを示す少なくとも１つの特性は、前記パーソナルケア行為を行う際に気を散らせるイベントが前記ユーザに起こっていることを示す特性を有してよい。
【００２１】
いくつかの実施形態において、前記処理ユニットは、前記パーソナルケア行為に集中するように前記ユーザに促すよう、前記気を散らせるイベントを示す前記検出された少なくとも１つの特性に関連する１つ以上の通知を開始するよう構成されてよい。
【００２２】
いくつかの実施形態において、前記処理ユニットは、前記ユーザへの視覚的通知、前記ユーザへの聴覚的通知、前記ユーザへの触覚的通知、及び前記パーソナルケア行為において使用される１つ以上のデバイスへの機能的通知のうちのいずれか１つ以上をレンダリングすることによって１つ以上の通知を開始するよう構成されてよい。
【００２３】
本発明の第２の態様に従って、ユーザがパーソナルケア行為を実行することに集中するのを支援することにおいて使用される方法であって、処理ユニットによって実行される前記方法が提供される。当該方法は、前記パーソナルケア行為中に前記ユーザに関連するデータを取得することと、前記パーソナルケア行為を行う際の前記ユーザにとっての気を散らせるイベントを示す少なくとも１つの特性を検出するよう前記取得されたデータを処理することと、前記ユーザが前記パーソナルケア行為に集中することを支援するよう、前記気を散らせるイベントを示す前記検出された少なくとも１つの特性に関連する１つ以上のアクションを開始することとを有する。
【００２４】
本発明の第３の態様に従って、適切なコンピュータ又はプロセッサによる実行時に、該コンピュータ又はプロセッサに上記の方法を実行させるように構成されるコンピュータ可読コードが記録されているコンピュータ可読媒体を有するコンピュータプログラム製品が提供される。
【００２５】
上記の態様及び実施形態に従って、既存の技術の制限が対処される。例えば、気を散らせるイベントの影響は、開始される１つ以上のアクションがその気を散らせるイベントに特に関連するということで、回避又は低減される。これは、そのような気を散らせるイベント既に起こっていようとも又は起こる可能性があろうとも当てはまる。よって、パーソナルケア行為において達成される品質をさもなければ下げ得る現在の気を散らすもの及び／又は潜在的な将来の気を散らすものを識別し対処することが可能である。このようにして、ユーザの集中は支援される。
【００２６】
よって、ユーザがパーソナルケア行為を実行することに集中するのを支援することにおいて使用され、既存の問題を解決する、改善されたシステム及び方法が提供される。
【図面の簡単な説明】
【００２７】
本発明のより良い理解のために、且つ、それがどのように実行に移され得るかをより明りょうに示すよう、これより、単なる一例として、添付の図面が参照される。
【００２８】
【図１】実施形態に従って、ユーザがパーソナルケア行為を実行することに集中するのを支援することにおいて使用されるシステムのブロック図である。
【図２】実施形態に従って、ユーザがパーソナルケア行為を実行することに集中するのを支援することにおいて使用される方法を説明するフローチャートである。
【図３】一例となる実施形態に従って、ユーザがパーソナルケア行為を実行することに集中するのを支援することにおいて使用される方法を説明するフローチャートである。
【図４】他の例となる実施形態に従って、ユーザがパーソナルケア行為を実行することに集中するのを支援することにおいて使用される方法を説明するフローチャートである。
【発明を実施するための形態】
【００２９】
上述されたように、本発明は、ユーザがパーソナルケア行為を実行することに集中するのを支援することにおいて使用され、既存の問題を解決する、改善されたシステム及び方法を提供する。
【００３０】
図１は、ユーザがパーソナルケア行為を実行することに集中するのを支援するために使用され得る、本発明の実施形態に従うシステム１００のブロック図を示す。パーソナルケア行為は、歯の手入れ行為（例えば、歯石取り、歯磨き、又はデンタルフロスでの掃除）、肌の手入れ行為（例えば、整肌又はクレンジング）、身づくろい行為（例えば、身体のいずれかの部位における毛のカット若しくはシェービングのような除毛、又は毛髪のブラシがけ若しくは矯正）、又はあらゆる他のパーソナルケア行為を有してよい。
【００３１】
いくつかの実施形態において、パーソナルケア行為において使用されるパーソナルケアデバイスは、システム１００を有してよい。パーソナルケアデバイスは、口腔ケアデバイス（例えば、歯石取りデバイス、歯ブラシ又はデンタルフロスデバイス）、スキンケアデバイス（例えば、トリートメント又はクレンジングデバイス）、グルーミングデバイス（例えば、除毛デバイス、例えば、ヘアカットデバイス、シェーバー若しくは脱毛器、ヘアブラシデバイス、又はストレートヘアアイロン）、又はあらゆる他のパーソナルケアデバイスを有してよい。代替的に、他の実施形態では、システム１００は、パーソナルケア行為で使用されるパーソナルケアデバイスと別個であってよい。
【００３２】
システム１００は、システム１００の動作を制御し、本明細書で記載される方法を実装可能である処理ユニット１０２を有する。処理ユニット１０２は、本明細書で記載される様態でシステム１００を制御するよう構成又はプログラムされる１つ以上のプロセッサ、処理ユニット、マルチコアプロセッサ又はモジュールを有することができる。特定の実施において、処理ユニット１０２は、本発明の実施形態に従う方法の個々又は複数のステップを実行するよう夫々構成されるか又はその実行のためである複数のソフトウェア及び／又はハードウェアモジュールを有することができる。
【００３３】
簡潔に、処理ユニット１０２は、パーソナルケア行為中にユーザに関連するデータを取得するよう構成される。ユーザに関連するデータは、少なくとも１つのセンサ１０４によって取得され得る。ユーザに関連するデータは、視覚データ、音声データ、活動若しくは動きデータ、存在（若しくは不在）データ、近接データ、デバイスステータスデータ、又はユーザに関連するあらゆる他のデータ若しくはデータの組み合わせを有してよい。
【００３４】
いくつかの実施形態において、処理ユニット１０２は、データを取得するように１つ以上のセンサ１０４を制御するよう構成される。図１の表されている実施形態では、システム１００は１つ以上のセンサ１０４を有する。なお、１つ以上のセンサは、代替的に、又は追加的に、システム１００の外部にあってよい（すなわち、システムとは別個であるか又は遠隔にある）ことが理解されるだろう。いくつかの実施形態において、パーソナルケア行為を実行するために使用されるパーソナルケアデバイスが、１つ以上のセンサを有してもよい。代替的に、又は追加的に、パーソナルケア行為において使用されないデバイスが、１つ以上のセンサを有してもよい。いくつかの実施形態において、パーソナルケア行為で使用されないデバイスは、気を散らすことの原因（又は潜在的な原因）となるデバイスである可能性がある。代替的に、又は追加的に、１つ以上のセンサは、ユーザの環境内に設けられてもよい。
【００３５】
いくつかの実施形態において、１つ以上のセンサ１０４は、ユーザが気を散らされるか又は気を散らされる可能性がある期間を特定するよう構成されてよい。すなわち、１つ以上のセンサ１０４は、関連する可能性があるデータのセクションを特定するように、取得されたデータを前処理するよう構成されてよい。そのような実施形態では、処理ユニット１０２は、特定された期間に関連するデータ（すなわち、関連データ）を１つ以上のセンサ１０４から取得してよい。例えば、特定された期間は、１つ以上のセンサ１０４が、処理に関連し得るイベント又は状況の存在（例えば、歩行パターン及び／又はユーザの異常な頭位傾斜を検出する動きセンサ、ユーザの不在を検出する存在検出器、ユーザからの発話を検出する音響センサ、又は同様のもの）を示す信号を検出する期間であってよい。このようにして、処理ユニット１０２が１つ以上のセンサ１０４からのユーザに関する全てのデータを処理することよりむしろ、処理ユニット１０２は、処理のために、関連する又は少なくとも潜在的に関連するデータのみを取得してよい。
【００３６】
センサは、ユーザに関するデータを取得することができるあらゆるタイプのセンサであってよい。例えば、センサは、視覚センサ、音声センサ、活動、慣性若しくは動きセンサ、存在センサ、近接センサ、デバイスステータスセンサ、又はユーザに関するデータを取得するのに適したあらゆる他のセンサ若しくはセンサのあらゆる組み合わせであることができる。
【００３７】
視覚センサは、ユーザに関する視覚データを取得するのに適した如何なるセンサであってもよい。例えば、視覚センサは、画像センサ（例えば、電荷結合デバイスＣＣＤ画像センサ、相補型金属酸化膜半導体ＣＭＯＳ画像センサ）、カメラ、ビデオ、赤外線センサ、若しくはあらゆる他の視覚センサ、又は視覚センサのあらゆる組み合わせであってよい。音声センサは、ユーザに関する音声データを取得するのに適した如何なるセンサであってもよい。例えば、音声センサは、マイクロホン、若しくはあらゆる他の音声センサ、又は音声センサのあらゆる組み合わせであってよい。活動又は動きセンサは、ユーザに関する活動、慣性、動きデータを取得するのに適した如何なるセンサであってもよい。例えば、活動、慣性、又は動きセンサは、加速度計、ジャイロスコープ、磁気計、視覚センサ、圧力センサ、又はあらゆる他の慣性、活動、若しくは動きセンサ、あるいは、慣性、活動、若しくは動きセンサのあらゆる組み合わせであってよい。存在センサは、ユーザに関する存在（又は不在）データを取得するのに適した如何なるセンサであってもよい。例えば、存在センサは、コンタクトセンサ、タッチセンサ、若しくは圧力センサ（例えば、フロアマットにある。）、（身体）温度センサ、カメラ（顔認識部を有してよい。）であってよい。近接センサは、ユーザに関する近接データを取得するのに適した如何なるセンサであってもよい。例えば、近接センサは、赤外線近接センサ、カメラ、音響近接センサ（例えば、超音波近接センサ）、若しくはあらゆる他の近接センサ、又は近接センサのあらゆる組み合わせであってよい。デバイスステータスセンサは、ユーザに関連するデバイスに関するデータを取得するのに適した如何なるセンサであってもよい。例えば、デバイスステータスセンサは、ユーザによってオン又はオフされるデバイスを検出可能なセンサ、デバイスとのユーザインタラクションを検出可能なセンサ、インターネットブラウザが（例えば、モバイルデバイス若しくはコンピュータから）開かれていることを検出可能なセンサ、若しくはあらゆる他のデバイスステータスセンサ、又はデバイスステータスセンサのあらゆる組み合わせであってよい。
【００３８】
ユーザに関するデータを取得することができるセンサのタイプについて且つセンサの配置について例が与えられているが、ユーザに関するデータを取得するのに適したあらゆるセンサ、又はユーザに関するデータを取得するのに適したセンサのあらゆる組み合わせ、及びセンサのあらゆる配置が使用され得ることが理解されるだろう。いくつかの実施形態においては、複数のタイプのセンサが使用され得る。
【００３９】
処理ユニット１０２はまた、パーソナルケア行為を実行する際のユーザにとっての気を散らせるイベントを示す少なくとも１つの特性を検出するように、取得されたデータを処理するよう構成される。いくつかの実施形態において、処理ユニット１０２は、パーソナルケア行為を実行する際のユーザにとっての気を散らせるイベントを示す少なくとも１つの特性を検出するように、取得されたデータを、気を散らせるイベントを示す記憶された特性と比較することによって、取得されたデータを処理するよう構成される。
【００４０】
処理ユニット１０２はまた、ユーザがパーソナルケア行為に集中することを支援するように、気を散らせるイベントを示す検出された少なくとも１つの特性に関連する１つ以上のアクションを開始するよう構成される。いくつかの実施形態において、処理ユニット１０２は、ユーザがパーソナルケア行為に集中することを支援するように、気を散らせるイベントを示す検出された少なくとも１つの特性に関連する１つ以上の対応策を開始するよう構成されてよい。例えば、処理ユニット１０２は、パーソナルケア行為において使用される１つ以上のデバイスへ視覚的、聴覚的、触覚的及び／又は機能的刺激をレンダリングすることによって、気を散らせるイベントの予想される発生に関与する１つ以上のデバイスへのアクセスを制御することによって、気を散らせるイベントの予想される発生の起点に予防策を置くことによって、あるいは、あらゆる他の対応策、又は対応策のあらゆる組み合わせによって、１つ以上の対応策を開始するよう構成されてよい。
【００４１】
代替的に、又は対応策に加えて、処理ユニット１０２は、ユーザがパーソナルケア行為に集中することを支援するように、気を散らせるイベントを示す検出された少なくとも１つの特性に関連する１つ以上の通知を開始するよう構成（又は更に構成）されてよい。例えば、処理ユニット１０２は、ユーザへの視覚的通知、ユーザの聴覚的通知、ユーザへの触覚的通知、パーソナルケア行為で使用される１つ以上のデバイスへの機能的通知、若しくはあらゆる他の通知、又は通知のあらゆる組み合わせをレンダリングすることによって、１つ以上の通知を開始するよう構成されてよい。
【００４２】
いくつかの実施形態において、気を散らせるイベントを示す検出された少なくとも１つの特性は、ユーザがパーソナルケア行為に集中することを支援するための複数のアクションに関連してよい。そのような実施形態では、処理ユニット１０２は、ユーザがパーソナルケア行為に集中することを支援するために開始すべき１つ以上のアクションを、気を散らせるイベントを示す検出された少なくとも１つの特性に関連する複数のアクションの中から選択するよう構成されてよい。
【００４３】
いくつかの実施形態に従って、システム１００は、少なくとも１つのユーザインターフェイス１０６を更に有してよい。代替的に、又は追加的に、ユーザインターフェイス１０６は、システム１００の外部にあってよい（すなわち、システムと別個であるか又は遠隔にある）。例えば、ユーザインターフェイス１０６は、他のデバイスの部分であってよい。いくつかの実施形態において、１つ以上のユーザインターフェイスは、パーソナルケア行為で使用されるパーソナルケアデバイスにおいて設けられてよく、１つ以上のユーザインターフェイスは、パーソナルケア行為で使用されるスマートミラーにおいて設けられてよく、１つ以上のユーザインターフェイスは、ユーザにとっての気を散らすことの潜在的な原因であるデバイス（例えば、ユーザのその場にあるデバイス）のような、パーソナルケア行為で使用されないデバイスにおいて設けられてよく、且つ／あるいは、ユーザインターフェイスは、ユーザの環境内の照明を含んでよい。
【００４４】
ユーザインターフェイス１０６は、本発明に従う方法から結果として得られる情報をシステム１００のユーザに提供することにおいて使用されてよい。処理ユニット１０２は、本発明に従う方法から結果として得られる情報を提供するように、１つ以上のユーザインターフェイス１０６を制御するよう構成されてよい。例えば、いくつかの実施形態において、処理ユニット１０２は、ユーザがパーソナルケア行為に集中することを支援するための、気を散らせるイベントを示す１つ以上の開始されたアクション（例えば、対応策及び／又は通知）、又は本明細書で記載される方法から結果として得られるあらゆる他の情報、データ若しくは信号をレンダリング又は出力するように、１つ以上のユーザインターフェイス１０６を制御するよう構成されてよい。代替的に、又は追加的に、ユーザインターフェイス１０６は、ユーザ入力を受けるよう構成されてよい。すなわち、ユーザインターフェイス１０６は、システム１００のユーザがデータ、命令、又は情報を手動で入力することを可能にしてよい。
【００４５】
よって、ユーザインターフェイス１０６は、システム１００のユーザへの情報、データ又は信号のレンダリング又は出力を可能にする如何なるコンポーネントであっても又はそのようなコンポーネントを有してもよい。代替的に、又は追加的に、ユーザインターフェイス１０６は、システム１００のユーザがユーザ入力を供給すること、システム１００と対話すること及び／又はシステム１００を制御することを可能にする如何なるコンポーネントであっても又はそのようなコンポーネントを有してもよい。例えば、ユーザインターフェイス１０６は、１つ以上のスイッチ、１つ以上のボタン、キーパッド、キーボード、タッチスクリーン若しくはアプリケーション（例えば、タブレット又はスマートフォン上にある。）、表示スクリーン若しくは他の視覚インジケータ、１つ以上のスピーカ（例えば、ラウドスピーカ）、１つ以上のマイクロホン、あらゆる他の音声ダイアログコンポーネント、１つ以上の照明、触知性若しくは触覚的フィードバックを提供するコンポーネント（例えば、振動機能、温度変化機能）、又はあらゆる他のユーザインターフェイスコンポーネント、あるいは、ユーザインターフェイスコンポーネントの組み合わせを有してよい。
【００４６】
気を散らせるイベントを示す検出された少なくとも１つの特性に関連する１つ以上の対応策を開始するよう処理ユニット１０２が構成されるところの実施形態において、処理ユニット１０２は、１つ以上の対応策をレンダリング又は供給するように、少なくとも１つのユーザインターフェイス１０６（上述されたように、システム１００の内部又はシステム１００の外部にあってよい。）を制御するよう構成されてよい。よって、少なくとも１つのユーザインターフェイス１０６は、１つ以上の対応策をユーザにレンダリング又は供給するよう制御可能（又は動作可能）である。
【００４７】
いくつかの対応策の実施形態において、パーソナルケア行為で使用される１つ以上のパーソナルケアデバイス（例えば、歯ブラシ、スマートミラー、又はパーソナルケア行為で使用されるあらゆるデバイス）の少なくとも１つのユーザインターフェイス１０６は、視覚的、聴覚的、触覚的及び／又は機能的刺激を供給するよう制御可能であってよい。このようにして、ユーザの注意は、パーソナルケア行為に引き付けられ得る。一例において、パーソナルケア行為で使用される１つ以上のパーソナルケアデバイスの少なくとも１つのユーザインターフェイス１０６は、パーソナルケアデバイスによりパーソナルケア行為を実行するユーザへ振動、温度の変化、又はあらゆる他の刺激を供給するよう制御可能であってよい。
【００４８】
代替的に、又は追加的に、いくつかの対応策の実施形態において、少なくとも１つのユーザインターフェイス１０６は、気を散らせるイベントの予想される発生の起点に予防策を置くよう制御可能であってよい。一例において、ユーザの環境内の１つ以上のデバイス（パーソナルケアデバイス以外。）の少なくとも１つのユーザインターフェイス１０６は、ユーザにとっての気を散らすことの潜在的な原因になり得るそのデバイスからの如何なる通知も少なくとも一時的に遮断するよう制御可能であってよい。他の例では、ユーザが二次的な行為（すなわち、パーソナルケア行為とは別の行為）を開始する１つ以上のデバイスの少なくとも１つのユーザインターフェイス１０６は、ユーザを促してその二次的な行為を止めさせるようにユーザにメッセージを供給するよう制御可能であってよい。
【００４９】
代替的に、又は追加的に、いくつかの対応策の実施形態において、気を散らせるイベントの予想される発生に関与する１つ以上のデバイスの少なくとも１つのユーザインターフェイス１０６は、それら１つ以上のデバイスへのアクセスを制御するよう制御可能であってよい。一例において、気を散らせるイベントの予想される発生に関与する１つ以上のデバイスの少なくとも１つのユーザインターフェイス１０６は、ユーザにとっての気を散らすことの潜在的な原因になり得る情報（例えば、スマートミラー、スマートフォン、テレビ、又は同様のものでのニュース、交通、天気、又は他の情報）を一時的に隠すよう制御可能であってよい。他の例では、気を散らせるイベントの予想される発生に関与する１つ以上のデバイスの少なくとも１つのユーザインターフェイス１０６は、ユーザにとっての気を散らすことの潜在的な原因である１つ以上のデバイス（例えば、スマートフォン、スマートミラー、テレビ、又は同様のもの）における機能へのアクセスしやすさを適応させるよう制御可能であってよい。
【００５０】
気を散らせるイベントを示す検出された少なくとも１つの特性に関連する１つ以上の通知を開始して、ユーザがパーソナルケア行為に集中することを支援するよう処理ユニット１０２が構成されるところの実施形態において、処理ユニット１０２は、１つ以上の通知をレンダリングするように、少なくとも１つのユーザインターフェイス１０６（上述されたように、システム１００の内部又はシステム１００の外部にあってよい。）を制御するよう構成されてよい。よって、少なくとも１つのユーザインターフェイス１０６は、１つ以上の通知をユーザへレンダリング又は供給するよう制御可能（又は動作可能）であってよい。いくつかの通知の実施形態において、少なくとも１つのユーザインターフェイス１０６は、ユーザへの視覚的通知、ユーザへの聴覚的通知、ユーザへの触覚的通知、パーソナルケア行為で使用される１つ以上のパーソナルケアデバイスへの機能的通知、若しくはあらゆる他の通知、又は通知のあらゆる組み合わせを供給するよう制御可能であってよい。
【００５１】
一例において、触覚デバイス（歯ブラシのような、パーソナルケア行為で使用されるデバイスであってよく、あるいは、ウェアラブルデバイス、モバイルデバイス、又は同様のものであってよい。）の少なくとも１つのユーザインターフェイス１０６は、振動通知、温度の変化、又はあらゆる他の形態の触覚的通知の形をとることができる少なくとも１つの触覚的通知を供給するよう制御可能であってよい。他の例では、オーディオデバイス（例えば、歯ブラシ、ウェアラブルデバイス、モバイルデバイス、ユーザの環境内のデバイス、又は同様のものにおけるスピーカ）の少なくとも１つのユーザインターフェイス１０６は、ユーザへの少なくとも１つの音響（例えば、気を散らせるイベントを中止するための、又はパーソナルケア行為に集中するための指示）を供給するよう制御可能であってよい。他の例では、視覚デバイスの少なくとも１つのユーザインターフェイス１０６は、ユーザへの少なくとも１つの視覚的通知（例えば、歯ブラシのハンドル若しくはブラシ先端のように、パーソナルケアデバイスに、照明を設けること、又はスマートミラー、ウェアラブルデバイス、モバイルデバイス、環境内の照明、若しくは同様のものによる視覚的通知）を供給するよう制御可能であってよい。他の例では、パーソナルケア行為で使用されるパーソナルケアデバイスの少なくとも１つのユーザインターフェイス１０６は、機能的通知（例えば、電動歯ブラシにおけるブラシモータの速度を変えること、パーソナルケアデバイスの運動パターンを変えること、又はあらゆる他の機能的通知）を供給するよう制御可能であってよい。
【００５２】
いくつかの実施形態において、システム１００は、システム１００の内部又は外部にあるあらゆるコンポーネント、インターフェイス、ユニット、センサ及びデバイスと通信（又は接続）することをシステム１００に可能にする通信インターフェイス（回路）１０８を更に有してよい。通信インターフェイス１０８は、無線で又は有線接続によりあらゆるコンポーネント、インターフェイスユニット、センサ及びデバイスと通信してよい。例えば、１つ以上のユーザインターフェイス１０６がシステム１００の外部にある実施形態では、通信インターフェイス１０８は、無線で又は有線接続によりあらゆる外部ユーザインターフェイスと通信してよい。同様にして、１つ以上のセンサ１０４がシステム１００の外部にある実施形態では、通信インターフェイス１０８は、無線で又は有線接続により外部センサと通信してよい。
【００５３】
いくつかの実施形態において、システム１００は、本明細書で記載される方法を実行するよう処理ユニット１０２によって実行され得るプログラムを記憶するよう構成されたメモリユニット１１０を更に有してよい。メモリユニット１１０は、システム１００の処理ユニット１０２によって、又はシステム１００の外部にあるコンポーネント、インターフェイス、ユニット、センサ及びデバイスによって取得又は生成された情報、データ、信号及び測定を記憶するためにも使用され得る。例えば、メモリユニット１１０は、気を散らせるイベントを示す特性、ユーザがパーソナルケア行為に集中することを支援するための関連するアクション（例えば、対応策及び／又は通知）、及び／又は処理ユニット１０２によって取得若しくは生成されたあらゆる他のデータを記憶するよう構成されてよい。
【００５４】
気を散らせるイベントを示す記憶された特性は、予め定義された特性、及び／又は取得されたデータから時間にわたって累積され、ユーザが実際に気を取られる状況とそれらの特性を相関させるよう処理される特性（すなわち、特性は時間にわたって学習され得る。）であってよい。いくつかの実施形態において、システム１００の処理ユニット１０２は、気を散らせる行為と、気を散らせる行為がパーソナルケア行為に対して有している対応する影響（又は効果）をモニタして、気を散らせるどの行為がユーザに最も大きい影響（又は効果）を有しているかを判定するよう構成されてよい。処理ユニット１０２は、このデータを記憶するようにメモリユニット１１０を制御するよう構成されてよい。そのような実施形態において、ユーザは、データに基づき、処理ユニット１０２が開始すべき１つ以上のアクションを選択又は設定することが可能であってよい。例えば、頭位傾斜が歩行よりもパーソナルケア行為に対して大きな影響を有していることがデータ解析を通じて決定され得、よって、ユーザは、頭位傾斜及び不規則な歩行パターンの検出時に開始すべき１つ以上のアクションを選択することを決定してよい。いくつかの実施形態において、気を散らせるイベントのレベルに関連する１つ以上の閾値がメモリユニット１１０に記憶されていてよく、処理ユニット１０２は、気を散らせるイベントのレベルが関連する閾値を上回ると決定するときに、１つ以上のアクションを開始するよう構成されてよい。例えば、閾値は、１つ以上のアクションが開始される前にパーソナルケア行為中にユーザが歩くことを許される距離及び／又は時間であってよい。処理ユニット１０２はまた、取得されたデータを少なくとも一時的に、あるいは、将来における他の特性の検出に際して使用され得る少なくとも関連する取得されたデータを記憶するように、メモリユニット１１０を制御するよう構成されてよい。
【００５５】
図１は、本発明のこの態様を説明するために必要とされるコンポーネントしか示さず、実際の実施では、システム１００は、示されているものに対して追加のコンポーネントを有してよいことが理解されるだろう。例えば、システム１００は、システム１００に給電するバッテリ若しくは他の電源、又はシステム１００を幹線電源へ接続する手段を有してもよい。
【００５６】
図２は、実施形態に従って、ユーザがパーソナルケア行為を実行することに集中するのを支援することにおいて使用される方法２００を表す。表される方法２００は、一般に、システム１００の処理ユニット１０２によって又はその制御下で実行され得る。
【００５７】
図２を参照して、ブロック２０２で、ユーザに関連するデータが、パーソナルケア行為中に取得される。上述されたように、ユーザに関連するデータは、少なくとも１つのセンサから取得され得る。例えば、ユーザに関連するデータは、視覚データ、音声データ、活動若しくは動きデータ、存在（若しくは不存在）データ、近接データ、デバイスステータスデータ、又はユーザに関連するあらゆる他のデータ、若しくはデータの組み合わせを有してよい。
【００５８】
ブロック２０４で、取得されたデータは、パーソナルケア行為を実行する際のユーザにとっての気を散らせるデータを示す少なくとも１つの特性を検出するよう処理される。気を散らせるイベントを示す特性は、ユーザが気を散らされるか又は気を散らされる可能性がある状況を示すと見なされる条件である。すなわち、気を散らせるイベントを示す特性は、ユーザが気を散らされるか又は気を散らされる可能性がある状況のシグニチャである。気を散らせるイベントを示す複数の特性の場合において、複数の特性は、ユーザが気を散らされるか又は気を散らされる可能性がある状況を示すと見なされる条件の組（すなわち、シグニチャの組）である。
【００５９】
いくつかの実施形態において、取得されたデータは、パーソナルケア行為を実行する際のユーザにとっての気を散らせるイベントを示す少なくとも１つの特性を検出するよう、取得されたデータを、気を散らせるイベントを示す記憶された特性と比較することによって、処理されてよい。例えば、上述されたように、システム１００のメモリユニット１１０又は外部メモリユニットは、気を散らせるイベントを示す特性と、ユーザがパーソナルケア行為に集中することを支援するための関連するアクション（例えば、対応策及び／又は通知）とを記憶してよい。よって、取得されたデータは、パーソナルケア行為を実行する際のユーザにとっての気を散らせるイベントを示す少なくとも１つの特性を検出するよう、システムのメモリ１１０に記憶されている気を散らせるイベントを示す特性と比較されてよい。代替的に、又は追加的に、取得されたデータは、パーソナルケア行為を実行する際のユーザにとっての気を散らせるイベントを示す少なくとも１つの特性を検出するよう、システムの外にある（又はシステムから遠隔にある）メモリに記憶されている気を散らせるイベントを示す特性と比較されてよい。いくつかの実施形態において、気を散らせるイベント及び関連するアクションは、ルックアップテーブル（ＬＵＴ）の形で記憶されてよい。
【００６０】
いくつかの実施形態において、気を散らせるイベントを示す少なくとも１つの特性は、単一の特性であってよい。例えば、単一の特性は、位置、位置への近接が失われていると（例えば、ユーザがパーソナルケア行為に関連する位置から離れること）の表示、ユーザが他者と通信しているとの表示、又はあらゆる他の特性であってよい。いくつかの実施形態において、パーソナルケア行為に関連する位置は、パーソナルケア行為に関連する対象の位置（例えば、パーソナルケア行為で使用されるパーソナルケアデバイスのための充電ユニットの位置、又は歯の手入れ行為のためのバスルームのような、パーソナルケア行為のための通常の位置）に基づき決定されてよい。
【００６１】
他の実施形態では、気を散らせるイベントを示す少なくとも１つの特性は、特性の組であってもよい（異なる特性の組及び／又は特性におけるパターンであってよい。）。例えば、特性の組は、パーソナルケアデバイスの異常な動きのパターン（例えば、パーソナルケア行為を実行している間のユーザの歩行、又はパーソナルケア行為の集中した実行に関連しない少なくとも１つのパターン）、異常な頭部の動きのパターン（例えば、頭位回転、頭位傾斜、又は同様のもの）、パーソナルケア行為と無関係である二次的な行為をユーザが実行することを示すユーザの動作（例えば、二次的なデバイスを拾い上げる又は使用するユーザの動作）、あるいは、特性のあらゆる他の組であってよい。気を散らせるイベントを示す１つよりも多い特性が検出される如何なる実施形態でも、特性は、同じ気を散らせるイベント又は異なった気を散らせるイベントを示してよい。
【００６２】
いくつかの実施形態において、気を散らせるイベントを示す少なくとも１つの特性は、パーソナルケア行為を実行する際のユーザにとっての気を散らせるイベントの予想される発生を示す特性を有する（図３を参照して後で更に詳細に記載される。）。他の実施形態では、気を散らせるイベントを示す少なくとも１つの特性は、パーソナルケア行為を実行する際に気を散らせるイベントがユーザに起こっていることを示す特性を有する（図４を参照して後で更に詳細に記載される。）。
【００６３】
上述されたように、気を散らせるイベントを示す夫々の記憶された特性は、ユーザがパーソナルケア行為に集中することを支援するための関連するアクション（例えば、対応策及び／又は通知）とともに記憶されている。いくつかの実施形態において、夫々のアクションは、そのアクションを開始すべき関連するデバイスにより記憶されてもよい。いくつかの実施形態において、夫々のアクションは、アクションを実行するために必要とされる命令の関連する記述（例えば、実行可能コードの形をとってよい。）とともに記憶されてもよい。
【００６４】
ブロック２０６で、気を散らせるイベントを示す検出された少なくとも１つの特性に関連する１つ以上のアクションが、ユーザがパーソナルケア行為に集中することを支援するために開始される。
【００６５】
いくつかの実施形態において、これは、ユーザがパーソナルケア行為に集中することを支援するよう、気を散らせるイベントを示す検出された少なくとも１つの特性に関連する１つ以上の対応策を開始することを有してよい。例えば、上述されたように、１つ以上の対応策は、パーソナルケア行為で使用される１つ以上のデバイスへ視覚的、聴覚的、触覚的及び／又は機能的刺激をレンダリングすること、気を散らせるイベントの予想される発生に関与する１つ以上のデバイスへのアクセスを制御すること、気を散らせるイベントの予想される発生の起点に予防策を置くこと、若しくはあらゆる他の対応策、又は対応策のあらゆる組み合わせを有してよい。
【００６６】
代替的に、又は対応策に加えて、気を散らせるイベントを示す検出された少なくとも１つの特性に関連する１つ以上の通知が、ユーザがパーソナルケア行為に集中することを支援するよう開始されてもよい。例えば、上述されたように、１つ以上の通知は、ユーザへの視覚的通知、ユーザの聴覚的通知、ユーザへの触覚的通知、パーソナルケア行為で使用される１つ以上のデバイスへの機能的通知、若しくはあらゆる他の通知、又は通知のあらゆる組み合わせをレンダリングすることを有してよい。通知は、パーソナルケア行為に集中したままであるように（すなわち、気を散らせるイベントを無視するように）ユーザに促すよう、気を散らせるイベントのユーザへの警告として働いてよい。
【００６７】
いくつかの実施形態において、気を散らせるイベントを示す検出された少なくとも１つの特性は、ユーザがパーソナルケア行為に集中することを支援するための複数のアクションに関連してよい。そのような実施形態では、気を散らせるイベントを示す検出された少なくとも１つの特性に関連する複数のアクションのうちの１つ以上のアクションが、ユーザがパーソナルケア行為に集中することを支援するために開始すべきと選択されてよい。例えば、１つ以上のアクションは、複数のアクションに割り当てられている順位付け（例えば、アクションは、特性の選好の順序で順位付けされてよい。）、１つ以上のアクションを開始する時点での複数のアクションの利用可能性（例えば、１つ以上のアクションを提供するよう制御され得る１つ以上のデバイスの利用可能性）、及びユーザの状態（例えば、ユーザが面している方向）のうちのいずれか１つ以上に基づき、選択されてよい。１つ以上のアクションを選択するために使用され得る選択基準について例が与えられてきたが、他の選択基準、及び選択基準のあらゆる組み合わせが使用されてよいことが理解されるだろう。
【００６８】
気を散らせるイベントを示す検出された少なくとも１つの特性に関連する１つ以上のアクションが選択されると、その１つ以上のアクションは開始され、そして、１つ以上のデバイスは、ユーザがパーソナルケア行為に集中することを支援するように１つ以上のアクションを提供するよう制御される。制御されるデバイスがシステム１００の外にある実施形態では、処理ユニット１０２は、それらのデバイスを制御して１つ以上のアクションを実行するよう、通信インターフェイス１０８を介してデバイスへ接続することができる。
【００６９】
図３は、例となる実施形態に従って、ユーザがパーソナルケア行為を実行することに集中するのを助けることにおいて使用される方法３００を表す。表される方法３００は、一般に、システム１００の処理ユニット１０２によって又はその制御下で実行され得る。この例となる実施形態では、集中力の喪失をもたらし得る状況を検出し、ユーザがその状況から影響を及ぼされる前に対応策を適用することが可能である。
【００７０】
図３を参照して、ブロック３０２で、ユーザに関連するデータが、パーソナルケア行為中に取得される。すなわち、図２のブロック２０２に関連して上述された方法が実行され、よって、対応する説明が当てはまると理解されるので、ここでは繰り返されない。この実施形態では、パーソナルケア行為中のユーザに関連するデータは、１つ以上のセンサ１０４から取得される。センサは、ユーザの環境におけるセンサ、パーソナルケア行為で使用されるもの以外の他のデバイスにおけるセンサ、及び／又は将来ユーザの気を散らす可能性がある状況を識別するために使用され得るデータを取得するのに適したあらゆる他のセンサを有することができる。
【００７１】
ブロック３０４で、取得されたデータは、パーソナルケア行為を実行する際のユーザにとっての気を散らせるイベントの予想される発生を示す少なくとも１つの特性を検出するよう処理される。例えば、図２のブロック２０４を参照して上述されたように、取得されたデータは、パーソナルケア行為を実行する際のユーザにとっての気を散らせるイベントを示す少なくとも１つの特性を検出するように、取得されたデータを、メモリユニット（例えば、システム１００のメモリユニット１１０又は外部メモリユニット）に記憶されている気を散らせるイベントを示す記憶された特性（すなわち、気を散らせるイベントの予め定義されたシグニチャ、及び／又は時間にわたって累積されたシグニチャ）と比較することによって処理されてよい。取得されたデータの処理は、図２のブロック２０４について記載されたのと同じように実行されてよく、よって、ここでは繰り返されず、当てはまると理解される。例えば、気を散らせるイベントを示す特性は、ルックアップテーブル（ＬＵＴ）の形でメモリユニットに記憶されてよい。一例として、気を散らせるイベントは、パーソナルケア行為を実行しているときにユーザが歩き回ること、を含んでよい。例えば、パーソナルケアデバイスにおけるセンサは、ユーザの動きを検出してよく、ユーザの動きパターンは、ユーザが歩き回っている状況を検出するようモニタされ得る。
【００７２】
ブロック３０６で、気を散らせるイベントを示す検出された少なくとも１つの特性に関連する１つ以上の対応策は、気を散らせるイベントがユーザの気を散らす可能性を低めるよう開始される。具体的に、対応策は、将来の気を散らせることの可能性を下げ得る。すなわち、気を散らせるイベントを示す少なくとも１つの特性が検出される場合に、１つ以上の対応策が開始される。
【００７３】
一例において、１つ以上の対応策の開始は、パーソナルケア行為で使用される１つ以上のデバイスへ視覚的、聴覚的、触覚的及び／又は機能的刺激をレンダリングすることを有してよい。例えば、刺激は、ユーザに特定の方向を見続けさせること（例えば、視覚的若しくは聴覚的刺激の場合。）、又はパーソナルケア行為を実行するために使用されるパーソナルケアデバイスにユーザを集中させること（例えば、聴覚的若しくは触覚的刺激の場合。）に特有であってよい。
【００７４】
他の例では、１つ以上の対応策の開始は、気を散らせるイベントの予想される発生に関与する１つ以上のデバイスへのアクセスを制御することを有してよい。例えば、アクセスは、さもなければユーザの気を散らす可能性がある１つ以上のデバイス上の情報を隠すこと（例えば、スマートミラー、モバイルデバイス、又はあらゆる他のデバイスのようなデバイスで、ユーザの気を散らす可能性がある天気、交通、ニュース、メッセージ、ボタン、又はあらゆる他の情報を隠すこと）によって制御されてよい。アクセスは、このようにして、ユーザがパーソナルケア行為に従事する場合に、ユーザがパーソナルケア行為を実行することを完了するまで制御されてよい。アクセスはまた、例えば、スマートフォン、タブレットテレビ、又は他のデバイス上のアプリケーションアイコンを隠す（又は部分的に隠す）ことによっても、制御されてよい。例えば、これは、パーソナルケア行為を実行しているときに二次的な行為への関与を止めさせるよう、デバイスのスクリーンの部分に（例えば、スクリーンの真ん中に）、パーソナルケア行為に関するメッセージ（例えば、‘歯ブラシ’と言ったメッセージ）を表示することと同時に起こってよい。
【００７５】
他の例では、１つ以上の対応策の開始は、気を散らせるイベントの予想される発生の起点に予防策を置くよう１つ以上のデバイスを制御することを有してよい。例えば、通知（例えば、メッセージ通知、電話呼び出し通知、アプリケーション通知、又はあらゆる他の通知）は、１つ以上のデバイス（例えば、モバイルデバイス、例えば、電話機、タブレット、テレビ受像機、若しくは同様のもの、ウェアラブルデバイス、スマートミラー、又はあらゆる他のデバイス）で一時的にブロック又は先送りされてよい。通知は、ユーザがパーソナルケア行為を完了したことが検出されるまで、又はパーソナルケア行為のための予め定義された期間が経過した後まで、一時的にブロック又は先送りされてよい。いくつかの例において、通知は、ユーザが二次的な行為（すなわち、パーソナルケア行為の他の行為）に従事する場合に、ユーザに促して二次的な行為を止めさせるよう開始されてよい。例えば、歯の手入れ行為を実行する場合に、通知は、“あなたが同時にＸを見ないならばあなたはよりずっと効果的に歯を磨けると承知していますか？（Did  you  know  that  you  brush  your  teeth  much  more  effectively  if  you  do  not  watch  X  at  the  same  time?）”、又は同様のものと書いてあってよい。いくつかの実施形態において、システムは、コーチングシステムとして使用可能であってよい。例えば、ユーザは、彼らが二次的な行為を回避又は中止する場合に、システムによって褒美を与えられ得る。
【００７６】
図３に表されている実施形態を参照して記載されたように、ユーザはモニタされ得、気を散らすものの現れが検出される場合に、通知が、気を散らすものをユーザに警告するよう供給され得る。
【００７７】
図４は、他の例となる実施形態に従って、ユーザがパーソナルケア行為を実行することに集中するのを支援することにおいて使用される方法４００を表す。表される方法４００は、一般に、システム１００の処理ユニット１０２によって又はその制御下で実行され得る。この例となる実施形態では、ユーザによる集中力の喪失が起こり得るか又は起こった状況を特定し、次いで、ユーザが彼らの注意をパーソナルケア行為に集めること又は集め直すことを可能にするよう通知を供給することが可能である。
【００７８】
図４を参照して、ブロック４０２で、ユーザに関連するデータが、パーソナルケア行為中に取得される。すなわち、図２のブロック２０２に関連して上述された方法が実行され、よって、対応する説明が当てはまると理解されるので、ここでは繰り返されない。この実施形態では、パーソナルケア行為中のユーザに関連するデータは、１つ以上のセンサ１０４から取得される。センサは、パーソナルケア行為で使用されるパーソナルケアデバイスにおけるセンサ、他のデバイスにおけるセンサ、及び／又はユーザの環境におけるセンサを有することができる。取得されたデータは、先により詳細に記載されたように、１つ以上のセンサ１０４から処理ユニット１０２へ直接に供給されてよく、あるいは、データの関連するセクションを特定するよう１つ以上のセンサ１０４によって前処理されてから、処理ユニット１０２へ供給されてもよい。
【００７９】
ブロック４０４で、取得されたデータは、パーソナルケア行為を実行する際に気を散らせるイベントがユーザに起こっていることを示す少なくとも１つの特性を検出するよう処理される。例えば、取得されたデータはモニタされ、パーソナルケア行為を実行する際に気を散らせるイベントがユーザに起こっていることを示す少なくとも１つの特性を検出するよう、メモリユニット（例えば、システム１００のメモリユニット１１０又は外部メモリユニット）に記憶されている気を散らせるイベントを示す特性（すなわち、気を散らせるイベントの予め定義されたシグニチャ）と比較されてよい。取得されたデータの処理は、図２のブロック２０４について記載されたのと同様にして実行されてよく、よってここでは繰り返されず、当てはまると理解される。例えば、気を散らせるイベントを示す特性は、ルックアップテーブル（ＬＵＴ）の形でメモリユニットに記憶されてよい。
【００８０】
気を散らせるイベントがユーザに起こっていることを示す少なくとも１つの特性の検出は、気を散らせるイベントが起こっていることを示す少なくとも１つの特性、及びパーソナルケア行為への悪影響を生じさせる気を散らせるイベントを示す少なくとも１つの特性の１つ以上の検出を有してよい。パーソナルケア行為への悪影響の例は、パーソナルケア行為を実行することにおけるユーザの集中力の喪失、パーソナルケア行為の品質の低下、及びパーソナルケア行為へのあらゆる他の悪影響のうちの１つ以上を有してよい。パーソナルケア行為への悪影響は、如何なる適切な方法でも検出されてよい。一例において、パーソナルケア行為への悪影響を検出することは、パーソナルケア行為で使用されるパーソナルケアデバイスの動きの連続（例えば、ゆっくりとした動作）が中断されることを検出することを有してよい。これは、１つ以上の加速度計及び／又は１つ以上のカメラにより検知されてよい。他の例では、パーソナルケア行為への悪影響を検出することは、パーソナルケア行為で使用されるパーソナルケアデバイスが処理表面（例えば、歯の手入れ行為における歯、肌の手入れ行為における皮膚、ヘアケア行為における毛髪、又は同様のもの）から取り除かれることを検出することを有してよい。これは、１つ以上の表面接触センサ及び／又は１つ以上の圧力センサにより検知されてよい。
【００８１】
いくつかの実施形態において、取得されたデータと、気を散らせるイベントを示す記憶されている特性との比較は、気を散らせるイベントが起こっていることを示す少なくとも１つの特性を検出するよう、特定の条件（例えば、少なくとも２つの条件）が当てはまるかどうかを判定するための論理処理を伴ってよい。２つの条件を伴う例では、第１条件は、潜在的に気を散らせるイベントが起こっていること（例えば、情報がデバイスのスクリーンに表示されていること）であってよく、第２条件は、ユーザが気を散らせるイベントによって実際に気を散らされていること（例えば、ユーザがデバイスのスクリーンに面していること）であってよい。この例では、第１条件及び第２条件の両方が当てはまると決定される場合に、気を散らせるイベントが起こっていることを示す少なくとも１つの特性が検出される。
【００８２】
気を散らせるイベントが起こっていることを示す少なくとも１つの特性が検出される場合に、検出された少なくとも１つの特性に関連する１つ以上のアクションが、メモリユニットから（例えば、ルックアップテーブルから）読み出され得る。上述されたように、いくつかの場合に、特性は、複数の関連するアクションとともに記憶されてよい。すなわち、様々なアクションが、単一の特性について可能であってよい。そのような場合に、特性に関連するアクションの１つ以上は、１つ以上の予め定義された選択基準に基づき選択されてよい（図２を参照して上述されている。）。
【００８３】
ブロック４０６で、気を散らせるイベントを示す検出された少なくとも１つの特性に関連する１つ以上の通知は、パーソナルケア行為に集中するようにユーザに促すよう開始される。例えば、これは、ユーザへの視覚的通知、ユーザへの聴覚的通知、ユーザへの触覚的通知、パーソナルケア行為で使用される１つ以上のデバイスへの機能的通知、若しくはあらゆる他の通知、又は通知のあらゆる組み合わせをレンダリングすることを有してよい。上述されたように、通知は、パーソナルケア行為に集中したままであるようにユーザに促すよう、気を散らせるイベントについてのユーザへの警告として働いてよい。通知は、ユーザによって気付かれるよう設計され、そして、パーソナルケア行為に集中するようユーザに促すユーザへのメッセージ（例えば、気を散らせるイベントを無視するためのメッセージ）を運ぶことができる。
【００８４】
いくつかの実施形態において、気を散らせるイベントを示す検出された少なくとも１つの特性に関連する１つ以上の通知は、気を散らせるイベントが起こっていることを示す少なくとも１つの特性が検出される場合に開始されてよい。他の実施形態では、気を散らせるイベントを示す検出された少なくとも１つの特性に関連する１つ以上の通知は、気を散らせるイベントが起こっていることを示す少なくとも１つの特性、及びパーソナルケア行為への悪影響を生じさせる気を散らせるイベントを示す少なくとも１つの特性の両方が検出される場合にのみ開始されてよい。
【００８５】
いくつかの実施形態においては、図３を参照して記載された方法及び図４を参照して記載された方法の両方が実行され得ると理解されるだろう。例えば、気を散らせるイベントを示す少なくとも１つの特性は、パーソナルケア行為を実行する際のユーザにとっての気を散らせるイベントの予想される発生を示す少なくとも１つの特性、及びパーソナルケア行為を実行する際に気を散らせるイベントがユーザに起こっていることを示す少なくとも１つの特性を有してよい。よって、通知及び対応策の両方が開始されてよい。
【００８６】
本明細書で記載される実施形態のいずれにおいても、気を散らせるイベントを示す少なくとも１つの特性を検出するよう、取得されたデータを処理することより前に（すなわち、図２のブロック２０４、図３のブロック３０４、又は図４のブロック４０４より前に）、方法は、取得されたデータが関連するユーザを識別することを更に有してよい。このようにして、取得されたデータは、パーソナルケア行為を実行しているユーザに関連するとチェックすることが可能である。例えば、取得されたデータが関連するユーザを識別することは、パーソナルケア行為を実行しているユーザが部屋に残っているか又は入ってきたかどうかをチェックすること（例えば、カメラによる顔認識、フロアマット内の体重検知デバイス、バスルームのシンクの前にある体重計、又は同様のものを使用することによる。）、パーソナルケア行為を実行することにおいて使用されるパーソナルケアデバイスが部屋に残っているか又は入ってきたかどうかをチェックすること（例えば、デバイスの近接をその無線信号、起電力ＥＭＦ音響、又はパーソナルケアデバイスに関連したあらゆる他の特性により検知することによる。）、パーソナルケアデバイスをオン／オフする又は拾い上げる／下に置くユーザの同一性をチェックすること（例えば、指紋センサの使用による。）、ユーザが環境内のどこにいるかをモニタすること（例えば、複数人の家族がホームネットワーク内にいる場合。）、あるいは、パーソナルケア行為を実行しているユーザとデータが関連することをチェックするよう、取得されたデータが関連するユーザを特定するあらゆる他の方法を有してよい。このようにして、システムは、複数ユーザ環境で使用され得る。
【００８７】
１つの複数ユーザの実施形態において、１つ以上のアクションは、パーソナルケア行為を実行する同じユーザが、二次的な行為を実行しているユーザでもあると識別される場合に、開始されてよい。例えば、１つ以上のアクションは、パーソナルケアデバイスを使用する同じユーザが他のデバイスを使用するユーザでもあると識別される場合に、開始されてよい。他方で、１つ以上のアクションは、パーソナルケアデバイスを使用するユーザが他のデバイスを使用するユーザと異なっていると識別される状況では、開始され得ない。これは、パーソナルケアデバイスのユーザが他のデバイスのユーザと別の部屋にいる場合であってもよい。
【００８８】
（例えば、図２、図３、又は図４を参照して）本明細書で記載される実施形態のいずれにおいても、方法は、１つ以上の開始されるアクション（例えば、１つ以上の開始される通知又は１つ以上の開始される対応策）が、ユーザがパーソナルケア行為に集中することを支援するのに成功するかどうかを検出することを更に有してよい。例えば、これは、パーソナルケア行為の品質を測定することによって、例えば、処理エリア（例えば、歯、皮膚、毛髪、又はあらゆる他の処理エリア）とのパーソナルケアデバイスの接触を（例えば、１つ以上の接触センサ、圧力センサ、及び／又はカメラのより）測定することや、処理エリアにわたるパーソナルケアデバイスの正確な動き及び／又は位置付け（例えば、滑らかな連続した動き）を（例えば、加速度計、ジャイロスコープ、又はあらゆる他の動き若しくは位置付けセンサにより）測定することによって、検出されてよい。そのような実施形態では、１つ以上の開始されるアクションが、ユーザがパーソナルケア行為に集中することを支援するのに失敗する場合には、１つ以上の更なるアクションが、ユーザがパーソナルケア行為に集中することを支援するよう開始されてよい。更なるアクションは、１つ以上の前のアクションの繰り返し（例えば、１つ以上の通知を繰り返すこと又は１つ以上の対応策を繰り返すこと）であることができ、あるいは、他の通信チャネル（例えば、視覚の代わりに音響）を用いて又は他の方法（例えば、気を散らせる行為をオフすること）を用いて開始され得る他のアクションの開始であることができる。
【００８９】
本明細書で記載される実施形態のいずれにおいても、１つ以上の方法は繰り返されてよい（例えば、ループにおいて実行される。）。この場合に、データは、ユーザの集中に対する開始されたアクションの影響を評価するよう収集され得る。このようにして、システムは、最も成功したアクションを将来使用するために精緻化され得る。
【００９０】
従って、上述されたように、ユーザがパーソナルケア行為を実行することに集中するのを支援することにおいて使用される改善されたシステム及び方法が提供される。具体的に、システム及び方法は、いずれかの気を散らせるイベントに関連する開始されたアクションを通じて、ユーザがパーソナルケア行為を実行することに集中するのを支援する。例えば、システム及び方法は、対応策の使用により、ユーザがパーソナルケア行為を実行している間に気を散らされる可能性を低減することができ、ユーザが気を散らされる場合には、ユーザは、彼らが自身の挙動を改め集中し直すことを可能にする通知を供給され得る。このようにして、ユーザは、パーソナルケア行為からの改善された結果を達成する。システム及び方法は、ユーザの家、又はユーザがパーソナルケア行為を実行し得るあらゆる他の場所を含め、多くの周囲環境で用いられ得る。
【００９１】
また、適切なコンピュータ又はプロセッサによる実行時に、そのコンピュータ又はプロセッサに本明細書で記載される方法を実行させるように構成されるコンピュータ可読コードが記録されているコンピュータ可読媒体を有するコンピュータプログラム製品も提供される。
【００９２】
開示されている実施形態に対する変形例は、図面、本開示及び添付の特許請求の範囲の検討から、請求されている発明を実施する際に当業者によって理解及び実現され得る。特許請求の範囲において、語「有する」（comprising）は、他の要素又はステップを除外せず、不定冠詞（a又はan）は、複数を除外しない。単一のプロセッサ又は他のユニットは、特許請求の範囲で挙げられているいくつかの項目の機能を満たしてよい。特定の手段が相互に異なる従属請求項で挙げられているという単なる事実は、それらの手段の組み合わせが有利に使用され得ないことを示すものではない。コンピュータプログラムは、他のハードウェアとともに又はその部分として供給される光学記憶媒体又は固体状態媒体のような適切な媒体において記憶／分配されてよいが、他の形態においても、例えば、インターネット又は他の有線若しくは無線電気通信システムを介して、分配されてもよい。
【００９３】
特許請求の範囲内の如何なる参照符号も、適用範囲を制限するものとして解釈されるべきではない。
【図１】
2019533853.tif 000003
【図２】
2019533853.tif 000004
【図３】
2019533853.tif 000005
【図４】
2019533853.tif 000006
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
ユーザが歯の手入れ行為、肌の手入れ行為、又は身づくろい行為のようなパーソナルケア行為を実行することに集中するのを支援することにおいて使用されるシステムであって、
パーソナルケアデバイスと、
前記ユーザに関連するデータを取得するよう配置される少なくとも１つのセンサと、
気を散らせるイベントを示す特性と、前記ユーザが前記パーソナルケア行為に集中することを支援するための関連するアクションとを記憶するメモリユニットと、
処理ユニットと
を有し、
前記処理ユニットは、
前記パーソナルケア行為中に前記ユーザに関連するデータを取得し、
前記パーソナルケア行為を行う際の前記ユーザにとっての気を散らせるイベントを示す少なくとも１つの特性を検出するよう、前記取得されたデータを、前記気を散らせるイベントを示す記憶された特性と比較することによって、前記取得されたデータを処理し、斯様な気を散らせるイベントは、前記ユーザに、行っている前記パーソナルケア行為に集中しなくさせる可能性があり、且つ／あるいは、行っている前記パーソナルケア行為の品質及び効果に悪影響を与える可能性があり、
前記ユーザが前記パーソナルケア行為に集中することを支援するよう、前記気を散らせるイベントを示す前記検出された少なくとも１つの特性に関連する１つ以上のアクションを開始する
よう構成され、
前記取得されたデータを処理することは、
前記パーソナルケアデバイスの動きの連続性の変化を検出すること、
前記パーソナルケアデバイスが処理表面から取り除かれることを検出すること、及び
前記ユーザがスクリーンに面していることを検出すること
のうちの少なくとも１つを含む、
システム。
【請求項２】
前記気を散らせるイベントを示す検出された少なくとも１つの特性は、前記ユーザが前記パーソナルケア行為に集中することを支援するための複数のアクションに関連し、
前記処理ユニットは、前記ユーザが前記パーソナルケア行為に集中することを支援するために開始すべき１つ以上のアクションを、前記気を散らせるイベントを示す検出された少なくとも１つの特性に関連する前記複数のアクションの中から選択するよう構成される、
請求項１に記載のシステム。
【請求項３】
前記１つ以上のアクションは、前記複数のアクションに割り当てられている順位付け、前記１つ以上のアクションを開始する時点での前記複数のアクションの利用可能性、及び前記ユーザの状態のうちのいずれか１つ以上に基づき選択される、
請求項２に記載のシステム。
【請求項４】
前記少なくとも１つのセンサは、関連する可能性があるデータの選択を識別するよう、取得されたデータを前処理するよう構成される、
請求項１に記載のシステム。
【請求項５】
前記少なくとも１つのセンサは、
視覚センサ、
音声センサ、
動きセンサ、
存在センサ、
近接センサ、及び
デバイスステータスセンサ
のうちのいずれか１つ以上を有する、
請求項１に記載のシステム。
【請求項６】
前記気を散らせるイベントを示す少なくとも１つの特性は、前記パーソナルケア行為を行う際の前記ユーザにとっての前記気を散らせるイベントの予想される発生を示す特性を有する、
請求項１乃至５のうちいずれか一項に記載のシステム。
【請求項７】
前記処理ユニットは、前記気を散らせるイベントが前記ユーザの気を散らす可能性を低めるよう、前記気を散らせるイベントを示す検出された少なくとも１つの特性に関連する１つ以上の対応策を開始するよう構成される、
請求項６に記載のシステム。
【請求項８】
前記処理ユニットは、
前記パーソナルケア行為において使用される１つ以上のデバイスへ視覚的、聴覚的、触覚的及び／又は機能的刺激をレンダリングすること、
前記気を散らせるイベントの前記予想される発生に関与する１つ以上のデバイスへのアクセスを制御すること、並びに
前記気を散らせるイベントの前記予想される発生の起点に予防策を置くこと
のうちのいずれか１つ以上によって１つ以上の対応策を開始するよう構成される、
請求項７に記載のシステム。
【請求項９】
前記気を散らせるイベントを示す少なくとも１つの特性は、前記パーソナルケア行為を行う際に気を散らせるイベントが前記ユーザに起こっていることを示す特性を有する、
請求項１乃至８のうちいずれか一項に記載のシステム。
【請求項１０】
前記処理ユニットは、前記パーソナルケア行為に集中するように前記ユーザに促すよう、前記気を散らせるイベントを示す前記検出された少なくとも１つの特性に関連する１つ以上の通知を開始するよう構成される、
請求項９に記載のシステム。
【請求項１１】
前記処理ユニットは、
前記ユーザへの視覚的通知、
前記ユーザへの聴覚的通知、
前記ユーザへの触覚的通知、及び
前記パーソナルケア行為において使用される１つ以上のデバイスへの機能的通知
のうちのいずれか１つ以上をレンダリングすることによって１つ以上の通知を開始するよう構成される、
請求項１０に記載のシステム。
【請求項１２】
ユーザが歯の手入れ行為、肌の手入れ行為、又は身づくろい行為のようなパーソナルケア行為を実行することに集中するのを支援することにおいて使用される方法であって、処理ユニットによって実行される前記方法において、
前記パーソナルケア行為中に前記ユーザに関連するデータを取得することと、
気を散らせるイベントを示す特性と、前記ユーザが前記パーソナルケア行為に集中することを支援するための関連するアクションとを記憶するメモリユニットに記憶されている気を散らせるイベントを示す特性と前記取得されたデータを比較することによって、該取得されたデータを処理することであり、前記取得されたデータは、前記パーソナルケア行為を行う際の前記ユーザにとっての気を散らせるイベントを示す少なくとも１つの特性を検出するよう処理され、斯様な気を散らせるイベントは、前記ユーザに、行っている前記パーソナルケア行為に集中しなくさせる可能性があり、且つ／あるいは、行っている前記パーソナルケア行為の品質及び効果に悪影響を与える可能性がある、前記処理することと、
前記ユーザが前記パーソナルケア行為に集中することを支援するよう、前記気を散らせるイベントを示す前記検出された少なくとも１つの特性に関連する１つ以上のアクションを開始することと
を有し、
前記取得されたデータを処理することは、
パーソナルケアデバイスの動きの連続性の変化を検出すること、
前記パーソナルケアデバイスが処理表面から取り除かれることを検出すること、及び
前記ユーザがスクリーンに面していることを検出すること
のうちの少なくとも１つを含む、
方法。
【請求項１３】
適切なコンピュータ又はプロセッサによる実行時に、該コンピュータ又はプロセッサに請求項１２に記載の方法を実行させるように構成されるコンピュータ可読コードが記録されているコンピュータ可読媒体を有するコンピュータプログラム製品。
【国際調査報告】
2019533853.tif 000007
2019533853.tif 000008
2019533853.tif 000009